(57)【要約】【課題】  無線通信システムにおいて、複数のトランスポートチャネルが多重された場合に、個々のトランスポートチャネルが無線回線上で伝送される時間間隔が固定となるため、無線回線の伝送路が周期的なフェージングを持つ状況下では特定のトランスポートチャネルの受信レベルが下がるので、フェージングによる伝送誤りが特定のトランスポートチャネルに集中しないようにする。【解決手段】  送信側は、通信データのチャネルコーディング処理時に、トランスポートチャネルの連結の順番を時系列的に変更してトランスポートチャネルの多重を行い、受信側は、チャネルデコーディング処理時に、トランスポートチャネルの分割の順番を時系列的に変更してトランスポートチャネルの分割を行う。【選択図】        図１
2005167586.tif 000002
【特許請求の範囲】
【請求項１】
通信データのチャネルコーディング処理時にトランスポートチャネルを多重し、チャネルデコーディング処理時にトランスポートチャネルの分割を行う無線通信システムにおいて、
送信側は、トランスポートチャネルの連結順番を時系列的に変更してトランスポートチャネルの多重を行い、
受信側は、トランスポートチャネルの分割順番を時系列的に変更してトランスポートチャネルの分割を行うことを特徴とする無線通信システム。
【請求項２】
トランスポートチャネルの多重および分割を行う際に用いるそれぞれの時系列的に変更される連結順番および分割順番は、予め決められ互いに一致が取られたパターンに従うようにしたことを特徴とする請求項１記載の無線通信システム。
【請求項３】
トランスポートチャネルの多重および分割を行う際に用いるそれぞれの時系列的に変更される連結順番および分割順番は、回線設定時に通信網から指定され互いに一致が取られたパターンに従うようにしたことを特徴とする請求項１記載の無線通信システム。
【請求項４】
通信網とのインタフェースとなる有線部と、
無線回線とのインタフェースとなる無線部と、
前記有線部を経由して入力された下り回線のトランスポートチャネルに対してチャネルコーディングを行い前記無線部へ出力するチャネルコーディング部と、
前記無線部を経由して入力された上り回線の多重されたトランスポートチャネルに対してチャネルデコーディングを行い前記有線部へ出力するチャネルデコーディング部と、
回線設定時に通信網からの指示に従ってトランスポートチャネルの多重および分割の連結順番および分割順番のパターンが設定され、送信時にトランスポートチャネル多重処理周期ごとに、設定されたパターンに従ってトランスポートチャネルの連結順番を前記チャネルコーディング部へ通知し、また受信時にトランスポートチャネル分割処理周期ごとに、設定されたパターンに従ってトランスポートチャネルの分割順番を前記チャネルデコーディング部へ通知するトランスポートチャネル連結順番指示部とを備え、
前記チャネルコーディング部は、通知されたトランスポートチャネルの連結順番に従ってトランスポートチャネルを多重し、
前記チャネルデコーディング部は、通知されたトランスポートチャネルの分割順番に従って、多重されたトランスポートチャネルを複数のトランスポートチャネルに分割することを特徴とする無線基地局装置。
【請求項５】
使用者とのインタフェースとなるユーザインタフェース部と、
無線回線とのインタフェースとなる無線部と、
前記ユーザインタフェース部から入力される上り回線のトランスポートチャネルに対してチャネルコーディングを行い前記無線部へ出力するチャネルコーディング部と、
無線回線を経由して入力された下り回線の多重されたトランスポートチャネルに対してチャネルデコーディングを行い前記ユーザインタフェース部へ出力するチャネルデコーディング部と、
回線設定時に通信網からの指示に従ってトランスポートチャネルの多重の連結順番および分割の分割順番のパターンが設定され、送信時にトランスポートチャネル多重処理周期ごとに、設定された連結順番のパターンに従ってトランスポートチャネルの連結順番を前記チャネルコーディング部へ通知し、また受信時にトランスポートチャネル分割処理周期ごとに、設定された分割順番のパターンに従ってトランスポートチャネルの分割順番を前記チャネルデコーディング部へ通知するトランスポートチャネル連結順番指示部とを備え、
前記チャネルコーディング部は、通知された連結順番に従ってトランスポートチャネルを多重し、
前記チャネルデコーディング部は、通知された分割順番に従って、多重されたトランスポートチャネルを複数のトランスポートチャネルに分割することを特徴とする移動端末。
【請求項６】
通信網とのインタフェースとなる有線部と、
無線回線とのインタフェースとなる無線部と、
前記有線部を経由して入力された下り回線のトランスポートチャネルに対してチャネルコーディングを行い前記無線部へ出力するチャネルコーディング部と、
前記無線部を経由して入力された上り回線の多重されたトランスポートチャネルに対してチャネルデコーディングを行い前記有線部へ出力するチャネルデコーディング部と、
トランスポートチャネルの多重および分割を行う際に用いるそれぞれの時系列的に変更される連結および分割のパターンが予め設定され、送信時にトランスポートチャネル多重処理周期ごとに、設定されたパターンに従ってトランスポートチャネルの連結順番を前記チャネルコーディング部へ通知し、また受信時にトランスポートチャネル分割処理周期ごとに、設定されたパターンに従ってトランスポートチャネルの分割順番を前記チャネルデコーディング部へ通知するトランスポートチャネル連結順番指示部とを備え、
前記チャネルコーディング部は、トランスポートチャネルの連結順番に従ってトランスポートチャネルを多重し、
前記チャネルデコーディング部は、トランスポートチャネルの分割順番に従って、多重されたトランスポートチャネルを複数のトランスポートチャネルに分割することを特徴とする無線基地局装置。
【請求項７】
使用者とのインタフェースとなるユーザインタフェース部と、
無線回線とのインタフェースとなる無線部と、
前記ユーザインタフェース部から入力される上り回線のトランスポートチャネルに対してチャネルコーディングを行い前記無線部へ出力するチャネルコーディング部と、
無線回線を経由して入力された下り回線の多重されたトランスポートチャネルに対してチャネルデコーディングを行い前記ユーザインタフェース部へ出力するチャネルデコーディング部と、
トランスポートチャネルの多重および分割を行う際に用いるそれぞれの時系列的に変更される連結順番および分割順番のパターンが予め設定され、送信時にトランスポートチャネル多重処理周期ごとに、設定された連結順番のパターンに従ってトランスポートチャネルの連結順番を前記チャネルコーディング部へ通知し、また受信時にトランスポートチャネル分割処理周期ごとに、設定された分割順番のパターンに従ってトランスポートチャネルの分割順番を前記チャネルデコーディング部へ通知するトランスポートチャネル連結順番指示部とを備え、
前記チャネルコーディング部は、通知された連結順番に従ってトランスポートチャネルを多重し、
前記チャネルデコーディング部は、通知された分割順番に従って、多重されたトランスポートチャネルを複数のトランスポートチャネルに分割することを特徴とする移動端末。
【発明の詳細な説明】
【技術分野】
【０００１】
この発明は、通信データのチャネルコーディング処理およびチャネルデコーディング処理を行う無線通信システム、無線基地局装置および移動端末に関するものである。
【背景技術】
【０００２】
無線基地局装置と移動端末間で通信を行う無線通信システムにおいて、無線基地局装置および移動端末で行っているチャネルコーディングの方法として、複数のトランスポートチャネルを定まった法則で多重する技術がある（例えば、特許文献１参照）。ここでは、複数のトランスポートチャネルを多重したのちにインタリーブ処理を施し、無線回線にて伝送している。
【０００３】
【特許文献１】特表２００３―５０３８９５号公報
【発明の開示】
【発明が解決しようとする課題】
【０００４】
従来の無線通信システムにおけるインタリーブ処理は、インタリーブ法則が固定されている。そのため、個々のトランスポートチャネルが無線回線上で伝送される時間間隔も固定されてしまい、この時間間隔がドップラーフェージングなどの周期的なフェージングによる受信レベルの低下周期の逓倍となると、特定のトランスポートチャネルに伝送誤りが集中するという問題があった。
【０００５】
この発明は、上記問題点を解消するためになされたもので、特定のトランスポートチャネルにフェージングによる伝送誤りが集中するのを防ぐことを可能にする無線通信システム、無線基地局装置および移動端末を得ることを目的としている。
【課題を解決するための手段】
【０００６】
この発明に係る無線通信システムは、通信データのチャネルコーディング処理時にトランスポートチャネルを多重し、チャネルデコーディング処理時にトランスポートチャネルの分割を行う無線通信システムにおいて、送信側は、トランスポートチャネルの連結の順番を時系列的に変更してトランスポートチャネルの多重を行い、受信側は、トランスポートチャネルの分割の順番を時系列的に変更してトランスポートチャネルの分割を行うようにしたものである。
【発明の効果】
【０００７】
この発明によれば、多重されている個々のトランスポートチャネルが無線回線上で送信される時間間隔を可変するようにしたので、周期的なフェージングを持つ伝送路においても複数のトランスポートチャネルに伝送誤りを分散することができ、伝送効率を向上させる効果がある。
【発明を実施するための最良の形態】
【０００８】
実施の形態１．
図１は、この発明の実施の形態１による無線通信システムの多重および分割の方法について示す説明図で、広帯域符号分割多重通信システムの送信側におけるトランスポートチャネルを多重する方法と、受信側におけるトランスポートチャネルを分割する方法を示している。
ここでは、送信側のトランスポートチャネルの多重処理において、多重の対象となるトランスポートチャネルを連結する際に、連結の順番をトランスポートチャネル多重処理周期ごとに、時系列的に変更するようにしている。一方、受信側のトランスポートチャネルの分割処理において、多重されたトランスポートチャネルを分割する際に、分割の順番をトランスポートチャネル分割処理周期ごとに、時系列的に変更するようにしている。このことにより、固定されたインタリーブ法則を用いた場合でも、多重された後の個々のトランスポートチャネルは、無線回線上で送信される時間間隔を変えることができる。
【０００９】
以上のように、この実施の形態１によれば、トランスポートチャネルの多重を行う際に、トランスポートチャネルの連結の順番をトランスポートチャネル多重処理周期ごとに切り替えるようにしたので、多重された後の個々のトランスポートチャネルが無線回線上で送信される時間間隔を可変し、周期的なフェージングを持つ伝送路においても複数のトランスポートチャネルに伝送誤りを分散することができ、伝送効率を向上させる効果がある。
【００１０】
実施の形態２．
図２はこの発明の実施の形態２による無線通信システムの多重および分割の方法を示す説明図で、広帯域符号分割多重通信システムの送信側におけるトランスポートチャネルの多重の方法と、受信側におけるトランスポートチャネルへ分割する方法を示している。
ここでは、送信側のトランスポートチャネルの多重処理において、多重の対象となるトランスポートチャネルを連結する際に、連結の順番をトランスポートチャネル多重処理周期ごとに予め決められたパターン（固定の選択パターンＡ１）に従って時系列的に変更するようにしている。一方、受信側のトランスポートチャネルの分割処理において、多重されたトランスポートチャネルを分割する際に、分割の順番をトランスポートチャネル分割処理周期ごとに予め決められたパターン（固定の選択パターンＢ１）に従って時系列的に変更するようにしている。この場合、固定の選択パターンＡ１とＢ１は連結の順番の一致が取られている。
【００１１】
実施の形態１の方法では、送信側のトランスポートチャネルの多重の際に選択されたトランスポートチャネルの連結の順番と、受信側のトランスポートチャネルの分割の際に選択されたトランスポートチャネルの分割の順番とが一致しないと正しくトランスポートチャネルに分割することができない場合が考えられる。これに対し、この実施の形態２では、送信側と受信側が予め決めた連結と分割の順番が一致した固定の選択パターンＡ１，Ｂ１を保持しておき、これらの連結順番および分割順番のパターンに従ってトランスポートチャネルの連結および分割を行うため、受信側でトランスポートチャネルを正しく分割することができる。
【００１２】
以上のように、この実施の形態２によれば、トランスポートチャネルの多重および分割を行う際に用いるそれぞれの時系列的に変更される連結および分割の順番は、予め決められ互いに一致が取られたパターンに従うようにしたので、多重された後の個々のトランスポートチャネルが無線回線上で送信される時間間隔を可変し、周期的なフェージングを持つ伝送路においても複数のトランスポートチャネルに伝送誤りを分散することができ、伝送効率を向上させる効果がある。また、トランスポートチャネルを正しく分割できる効果が得られる。
【００１３】
実施の形態３．
図３はこの発明の実施の形態３による無線通信システムの多重および分割の方法を示す説明図で、広帯域符号分割多重通信システムの送信側におけるトランスポートチャネルの多重の方法と、受信側におけるトランスポートチャネルへ分割する方法を示している。
ここでは、通信網に予め保持されているトランスポートチャネルの連結順番および分割順番を回線設定時に通信網から送信側には固定の選択パターンＡ２が書き込まれ設定される。また、受信側には固定の選択パターンＢ２が書き込まれ設定される。これら設定された固定の選択パターンＡ２とＢ２は連結の順番が互いに一致している。そして、送信側のトランスポートチャネルの多重処理において、多重の対象となるトランスポートチャネルを連結する際に、連結の順番をトランスポートチャネル多重処理周期ごとに、設定された固定の選択パターンＡ２に従って時系列的に変更するようにしている。一方、受信側のトランスポートチャネルの分割処理において、多重されたトランスポートチャネルを分割する際に、分割の順番をトランスポートチャネル分割処理周期ごとに、設定された固定の選択パターンＢ２に従って時系列的に変更するようにしている。したがって、これらの連結と分割の順番が互いに一致したパターンに従ってトランスポートチャネルの連結および分割を行っているで、受信側でトランスポートチャネルを正しく分割することができる。
【００１４】
以上のように、この実施の形態３によれば、トランスポートチャネルの多重および分割を行う際に用いるそれぞれの時系列的に変更される連結の順番は、回線設定時に通信網から指定され互いに一致が取られたパターンに従うようにしたので、多重された後の個々のトランスポートチャネルが無線回線上で送信される時間間隔を可変し、周期的なフェージングを持つ伝送路においても複数のトランスポートチャネルに伝送誤りを分散することができ、伝送効率を向上させる効果がある。また、トランスポートチャネルを正しく分割できる効果が得られる。
【００１５】
実施の形態４．
図４はこの発明の実施の形態４による無線基地局装置と移動端末の構成を示すブロック図である。
図において、無線基地局装置１００と移動端末２００は、広帯域符号分割多重通信システムを示しており、上記実施の形態３で述べたトランスポートチャネルの多重および分割の方法が適用されている。無線基地局装置１００において、有線部１５０は有線による通信網とのインタフェースを構成している。無線部１６０は、移動端末２００と無線通信を行う無線回線とのインタフェースを構成している。呼制御部１１０は、通信網からの指示に従って無線回線を制御する手段である。チャネルコーディング部１２０は、呼制御部１１０によって制御されて下り回線のトランスポートチャネルに対してチャネルコーディングを行う手段である。チャネルデコーディング部１３０は、呼制御部１１０によって制御されて上り回線の多重されたトランスポートチャネルに対してチャネルデコーディングを行う手段である。トランスポートチャネル連結順番指示部１４０は、回線設定時に通信網からの指示に従ってトランスポートチャネルの多重の連結順番および分割の分割順番のパターンが設定され、これらのパターンに基づいてチャネルコーディング部１２０によるトランスポートチャネルの多重動作およびチャネルデコーディング部１３０によるトランスポートチャネルの分割動作を後述するように制御する手段である。
【００１６】
チャネルコーディング部１２０は、符号化やレートマッチングを行う符号化・レートマッチング処理部１２１、無線フレームの分割を行う無線フレーム分割処理部１２２、トランスポートチャネルの連結順番に従ってトランスポートチャネルを多重する下り回線トランスポートチャネル多重処理部１２３、インタリーブ処理や拡散処理などを行うインタリーブ・拡散処理部１２４等から構成されている。一方、チャネルデコーディング部１３０は、逆拡散・デインタリーブ処理部１３１、トランスポートチャネルの連結順番に従って多重されたトランスポートチャネルを分割する上り回線トランスポートチャネル分割処理部１３２、レートデマッチング処理部１３３、誤り訂正処理部１３４等から構成されている。
【００１７】
一方、移動端末２００において、ユーザＩ／Ｆ（ユーザインタフェース）部２５０は、移動端末の使用者とのインタフェースを構成している。無線部２６０は、無線基地局装置１００と通信を行う無線回線とのインタフェースを構成している。呼制御部２１０は、移動端末の使用者もしくは通信網の指示に従って無線回線を制御する手段である。チャネルコーディング部２２０は、呼制御部２１０により制御されて上り回線のチャネルコーディングを行う手段である。チャネルデコーディング部２３０は、呼制御部２１０により制御されて下り回線の多重されたトランスポートチャネルに対してチャネルデコーディングを行う手段である。トランスポートチャネル連結順番指示部２４０は、回線設定時に通信網からの指示に従ってトランスポートチャネルの多重の連結順番および分割の分割順番のパターンが設定され、これらのパターンに基づいてチャネルコーディング部２２０によるトランスポートチャネルの多重動作およびチャネルデコーディング部２３０によるトランスポートチャネルの分割動作を後述するように制御する手段である。
【００１８】
チャネルコーディング部２２０は、無線基地局装置１００のチャネルコーディング部１２０とほぼ同様な構成で、符号化・レートマッチング処理部２２１、無線フレーム分割処理部２２２、上り回線トランスポートチャネル多重処理部２２３、インタリーブ・拡散処理部２２４等から構成されている。チャネルデコーディング部２３０も無線基地局装置１００のチャネルデコーディング部１３０とほぼ同様な構成で、逆拡散・デインタリーブ処理部２３１、下り回線トランスポートチャネル分割処理部２３２、レートデマッチング処理部２３３、誤り訂正処理部２３４等から構成されている。
【００１９】
次に、動作について説明するが、まず、無線基地局装置１００の送信時における下り回線データの処理について説明する。
呼制御部１１０は、通信網からの指示に従いチャネルコーディング部１２０にチャネルコーディングパラメータを設定する。さらに、呼制御部１１０は、通信網からの指示に従いトランスポートチャネル連結順番指示部１４０にトランスポートチャネルの連結順番のパターンを設定する。
下り回線データは、複数のトランスポートチャネルから成っており、通信網から有線部１５０を経由してチャネルコーディング部１２０へ入力される。チャネルコーディング部１２０において、複数のトランスポートチャネルは、個々に符号化処理やレートマッチング処理、無線フレーム分割処理が行なわれ、下り回線トランスポートチャネル多重処理部１２３に入力される。
【００２０】
トランスポートチャネル連結順番指示部１４０は、設定されたトランスポートチャネルの連結順番パターンに従って、トランスポートチャネル多重処理周期ごとにトランスポートチャネルの連結順番を下り回線トランスポートチャネル多重処理部１２３に通知する。下り回線トランスポートチャネル多重処理部１２３では、通知されたトランスポートチャネルの連結順番に従ってトランスポートチャネルを多重する。多重されたトランスポートチャネルは、さらにインタリーブ処理や拡散処理などの処理が行なわれた後、無線部１６０より無線回線を経由して移動端末２００に送出される。
【００２１】
次に、移動端末２００の受信時における下り回線データの処理について説明する。
呼制御部２１０は、回線設定時に制御チャネルによって通信網から指示された内容に従い、チャネルデコーディング部２３０にチャネルデコーディングパラメータを設定する。さらに、通信網からの指示に従い、トランスポートチャネル連結順番指示部２４０にトランスポートチャネルの分割順番のパターンを設定する。
無線回線を経由して移動端末２００に入力された下り回線の多重されたトランスポートチャネルは、無線部２６０を経由してチャネルデコーディング部２３０に入力される。チャネルデコーディング部２３０では、下り回線の多重されたトランスポートチャネルは逆拡散処理やデインタリーブ処理などの処理が施され、下り回線トランスポートチャネル分割処理部２３２へ入力される。
【００２２】
トランスポートチャネル連結順番指示部２４０は、トランスポートチャネル分割処理周期ごとに、設定された分割順番のパターンに従ってトランスポートチャネルの分割順番を下り回線トランスポートチャネル分割処理部２３２に通知する。下り回線トランスポートチャネル分割処理部２３２では、トランスポートチャネル連結順番指示部２４０から通知される分割順番のパターンに従って、多重されたトランスポートチャネルを複数のトランスポートチャネルに分割する。分割されたトランスポートチャネルは個々にレートデマッチング処理や誤り訂正処理などが行われた後、ユーザＩ／Ｆ部２５０に入力されて画像情報や音声情報を使用者へ開示するのに用いられる。
【００２３】
次に、移動端末２００の送信時における上り回線データの処理について説明する。
呼制御部２１０は、回線設定時に制御チャネルによって通信網から指示された内容に従い、チャネルコーディング部２２０にチャネルコーディングパラメータを設定する。さらに、呼制御部２１０は、通信網からの指示に従い、トランスポートチャネル連結順番指示部２４０にトランスポートチャネルの連結順番のパターンを設定する。
上り回線データは、複数のトランスポートチャネルから成っており、ユーザＩ／Ｆ部２５０からチャネルコーディング部２２０へ入力される。チャネルコーディング部２２０において、複数のトランスポートチャネルは、個々に符号化処理やレートマッチング処理、無線フレーム分割処理が行なわれ、上り回線トランスポートチャネル多重処理部２２３に入力される。
【００２４】
トランスポートチャネル連結順番指示部２４０は、トランスポートチャネル多重処理周期ごとに、設定された連結順番のパターンに従って、トランスポートチャネルの連結順番を上り回線トランスポートチャネル多重処理部２２３に通知する。上り回線トランスポートチャネル多重処理部２２３では、トランスポートチャネル多重処理周期ごとに、トランスポートチャネル連結順番指示部２４０から通知されるトランスポートチャネルの連結順番に従ってトランスポートチャネルを多重する。多重されたトランスポートチャネルは、さらにインタリーブ処理や拡散処理などが行なわれた後、無線部２６０より無線回線を経由して無線基地局装置１００に送出される。
【００２５】
次に、無線基地局装置１００の受信時における上り回線データの処理について説明する。
呼制御部１１０は、回線設定時に通信網から指示された内容に従い、チャネルデコーディング部１３０にチャネルデコーディングパラメータを設定する。さらに、呼制御部１１０は、通信網からの指示に従い、トランスポートチャネル連結順番指示部１４０にトランスポートチャネルの分割順番のパターンを設定する。
無線回線を経由して無線基地局装置１００に入力された上り回線の多重されたトランスポートチャネルは、無線部１６０を経由してチャネルデコーディング部１３０に入力される。チャネルデコーディング部１３０では、上り回線の多重されたトランスポートチャネルは、逆拡散処理やデインタリーブ処理などが施され、上り回線トランスポートチャネル分割処理部１３２へ入力される。トランスポートチャネル連結順番指示部１４０は、トランスポートチャネル分割処理周期ごとに、設定された連結順番のパターンに従って、トランスポートチャネルの分割順番を上り回線トランスポートチャネル分割処理部１３２に通知する。
【００２６】
上り回線トランスポートチャネル分割処理部１３２では、トランスポートチャネル連結順番指示部１４０から通知される分割順番のパターンに従って、多重されたトランスポートチャネルを複数のトランスポートチャネルに分割する。分割されたトランスポートチャネルは、個々にレートデマッチング処理や誤り訂正処理などが行われた後、有線部１５０に入力されて通信網へ伝送される。
【００２７】
以上のように、この実施の形態４によれば、無線基地局装置と移動端末が、回線設定時に通信網からの指示に従ってトランスポートチャネルの多重の連結順番のパターンおよび分割の分割順番のパターンを設定し、これらの順番に従って、送信時にはチャネルコーディング部がトランスポートチャネルを多重し、また受信時にはチャネルデコーディング部が多重されたトランスポートチャネルを複数のトランスポートチャネルに分割するように構成し、トランスポートチャネルの連結順番および分割順番を時系列的に変更しながらトランスポートチャネルの多重および分割を行うようにしている。したがって、多重された後の個々のトランスポートチャネルが無線回線上で送信される時間間隔を可変し、周期的なフェージングを持つ伝送路においても複数のトランスポートチャネルに伝送誤りを分散することができ、伝送効率を向上させる効果がある。
なお、実施の形態４で、トランスポートチャネル連結順番指示部１４０，２４０に対して、回線設定時に通信網からの指示に従ってトランスポートチャネルの多重および分割の連結順番のパターンを設定する替りに、時系列的に変更される連結順番および分割順番のパターンを予め設定しておいてもよい。その場合、実施の形態２を適用した無線基地局装置と移動端末を構成することができる。
【図面の簡単な説明】
【００２８】
【図１】この発明の実施の形態１による無線システムの多重および分割の方法を示す説明図である。
【図２】この発明の実施の形態２による無線システムの多重および分割の方法を示す説明図である。
【図３】この発明の実施の形態３による無線システムの多重および分割の方法を示す説明図である。
【図４】この発明の実施の形態４による無線基地局装置と移動端末の構成を示すブロック図である。
【符号の説明】
【００２９】
１００  無線基地局装置、１１０，２１０  呼制御部、１２０，２２０  チャネルコーディング部、１２３  下り回線トランスポートチャネル多重処理部、１３０，２３０  チャネルデコーディング部、１３２  上り回線トランスポートチャネル分割処理部、１４０，２４０  トランスポートチャネル連結順番指示部、２００  移動端末、２２３  上り回線トランスポートチャネル多重処理部、２３２  下り回線トランスポートチャネル分割処理部。
【図１】
2005167586.tif 000003
【図２】
2005167586.tif 000004
【図３】
2005167586.tif 000005
【図４】
2005167586.tif 000006